(57)【要約】【課題】引寄せ機構が故障することを抑制することができる。【解決手段】枠体２の上枠２１には、下方に突出するとともに左右方向Ｘ２に延在し、障子３を走行可能に支持する第１突部２１２が設けられ、第１突部２１２の下端よりも上方で、かつ第１突部２１２よりも屋内側には、障子３の戸先框を第１縦枠側に引き込ませるダンパー装置６が設けられ、ダンパー装置６は、上枠２１に設けられるダンパー６Ａと、障子３の上框２１に設けられ、ダンパー６Ａに係合するラッチ６Ｂと、を有する建具を提供する。【選択図】図８
2019178514.tif 000002
【特許請求の範囲】
【請求項１】
四方を枠組みして構成される枠体と、前記枠体内で左右方向にスライド可能に配置される障子と、を備えた建具であって、
前記枠体の上枠には、下方に突出するとともに左右方向に延在し、突部が設けられ、
前記突部の下端よりも上方で、かつ前記突部よりも屋内側には、前記障子の戸先框を縦枠側に引き込ませる引寄せ機構が設けられていることを特徴とする建具。
【請求項２】
前記引寄せ機構は、前記上枠に設けられるダンパーと、前記障子の上框に設けられ、前記ダンパーに係合する係止部と、を有する請求項１に記載の建具。
【請求項３】
前記係止部は、前記障子の上框に対して突没可能に設けられる請求項２に記載の建具。
【請求項４】
前記引寄せ機構は、前記障子と前記上枠に設けられた前記突部の屋外側面との間に配置される気密材よりも屋内側に設けられている請求項１乃至３のいずれか１項に記載の建具。
【発明の詳細な説明】
【技術分野】
【０００１】
本発明は、建具に関する。
【背景技術】
【０００２】
従来、サッシとして、例えば特許文献１に示されるような、障子の開方向の速度が高速になったときに作動するダンパーを有するスライダーを障子の上框に備え、障子の開方向に付勢した構成のものが知られている。このようなサッシでは、障子を所定速度よりも速い速度で開いた場合に、ダンパーによって障子の速度を適切に調整することができる。
【先行技術文献】
【特許文献】
【０００３】
【特許文献１】特開２０１６−１７３０１９号公報
【発明の概要】
【発明が解決しようとする課題】
【０００４】
しかしながら、上述した特許文献１のような障子にダンパーを設けたサッシでは、雨水が浸入しやすい障子の上框に水に弱いダンパーが配置されているので、ダンパーが故障し易くなり、その点で改善の余地があった。
【０００５】
本発明は、上述する問題点に鑑みてなされたもので、引寄せ機構が故障することを抑制することができる建具を提供することを目的とする。
【課題を解決するための手段】
【０００６】
上記目的を達成するため、本発明に係る建具は、四方を枠組みして構成される枠体と、前記枠体内で左右方向にスライド可能に配置される障子と、を備えた建具であって、前記枠体の上枠には、下方に突出するとともに左右方向に延在し、突部が設けられ、前記突部の下端よりも上方で、かつ前記突部よりも屋内側には、前記障子の戸先框を縦枠側に引き込ませる引寄せ機構が設けられていることを特徴としている。
【０００７】
本発明によれば、枠体の上枠内に引寄せ機構を配置させて収納することができる。この場合、引寄せ機構は、上枠の突部の下端よりも上方の位置で、かつ屋内側に設けられているので、雨水が付着しにくく、故障を抑えることができる。
【０００８】
また、本発明に係る建具は、前記引寄せ機構は、前記上枠に設けられるダンパーと、前記障子の上框に設けられ、前記ダンパーに係合する係止部と、を有することを特徴としてもよい。
【０００９】
この場合には、引寄せ機構のダンパーを修理あるいは交換する際には、ダンパーの下方から障子を移動させて、ダンパーの下方にスペースを設けることができるので、ダンパーを上枠から容易に取り外すことができる。このようにダンパーを上枠から取り外す際には、障子にダンパーが設けられていた従来の場合のように、一旦、障子を枠体から取り外すという手間と時間のかかる作業が不要になり、メンテナンスにかかる作業効率の向上を図ることができる。
また、本発明では、移動する障子においてダンパーに対して走行させながら係合可能な係止部が設けられているので、ダンパーによって係止部を介して障子の走行速度を低減することができ、ダンパーで設定された一定の走行速度で障子を移動させることができる。これにより、障子を閉鎖する際における障子の衝撃を小さく抑えることができる。
また、本発明では、係止部は屋内側から見えにくい障子の上框に設けられているので、意匠性を低下させることなく配置することができる。
【００１０】
また、本発明に係る建具は、前記係止部は、前記障子の上框に対して突没可能に設けられることを特徴としてもよい。
【００１１】
この場合には、例えばラッチ等の障子の上框に対して突没可能な係止部を採用することでができ、係止部の突没により容易に係止、或いは係止解除することができる。
【００１２】
また、本発明に係る建具は、前記引寄せ機構は、前記障子と前記上枠に設けられた前記突部の屋外側面との間に配置される気密材よりも屋内側に設けられていることが好ましい。
【００１３】
この場合には、障子と上枠に設けられた突部の屋外側面との間に配置される気密材の屋内側に水の付着に弱いダンパー等の引寄せ機構が設けられているので、引寄せ機構を屋外の雨水や湿気から保護することができ、故障の発生を抑制することができる。
【発明の効果】
【００１４】
本発明の建具によれば、引寄せ機構が故障することを抑制することができる。
【図面の簡単な説明】
【００１５】
【図１】本発明の実施形態による片引き戸を示す斜視図である。
【図２】図１に示す片引き戸を屋内側から見た正面図であって、全閉状態の障子を示す図である。
【図３】図１に示す片引き戸を屋内側から見た正面図であって、全開状態の障子を示す図である。
【図４】建築物に外付けされた状態の片引き戸を屋内側から見た正面図であって、全閉状態の障子を示す図である。
【図５】建築物に外付けされた状態の片引き戸を屋内側から見た正面図であって、全開状態の障子を示す図である。
【図６】図４に示すＩ−Ｉ線断面図であって、全閉状態の片引き戸の水平断面図である。
【図７】図５に示すＩＩ−ＩＩ線断面図であって、全開状態の片引き戸の水平断面図である。
【図８】図４に示すＩＩＩ−ＩＩＩ線断面図であって、全閉状態の片引き戸の縦断面図である。
【図９】押出し機構の構成を示す斜視図であって、ハンドル部材が収納位置にある図である。
【図１０】押出し機構の構成を示す斜視図であって、ハンドル部材が押出位置にある図である。
【図１１】押出し機構を屋内側から見た側面図であって、ハンドル部材が押出位置、及び操作初期位置にある図である。
【図１２】障子の上框と上枠に設けられるダンパー装置の構成を示す斜視図である。
【図１３】図１２に示すダンパー装置の屋内側から見た縦断面図である。
【図１４】上枠に設けられるダンパーを下方から見た平面図である。
【図１５】（ａ）〜（ｄ）は、ダンパー装置を使用した障子の開閉動作を示す図である。
【発明を実施するための形態】
【００１６】
以下、本発明の一実施形態による建具の一例について、図面に基づいて説明する。
【００１７】
図１から図３に示す本実施形態による片引き戸１（建具）は、図４及び図５に示すような建築物の開口部２Ａに設けられ、四方を枠組みしして四角形枠状に構成された枠体２と、枠体２内で左右方向Ｘ２にスライド可能に設けられた障子３と、を備えている。片引き戸１は、アルミニウムと樹脂の複合のサッシである。また、枠体２の屋外側には、網戸５が左右方向Ｘ２に移動可能に設けられている。
【００１８】
障子３は、全開状態Ｐ２において屋内側から見て戸袋側に上下左右の框３１〜３４がすべて隠れる構成になっている。すなわち、枠体２には左右領域のうち一方（本実施形態では屋内側から見て右側）の第１領域Ｒ１の屋内側に躯体Ｋが設けられ、他方（屋内側から見て左側）の第２領域Ｒ２の屋内側に屋内外方向Ｘ１に連通する開口部２Ａが形成された外付け構造となっている。
【００１９】
以下の説明において、屋外側と屋内側とを結ぶ方向を屋内外方向Ｘ１とし、建築物の開口部２Ａが躯体Ｋを貫通する方向から見た際の左側と右側を結ぶ水平方向を左右方向Ｘ２とする。また、片引き戸１を構成する各部材や部品などは、前記開口部２Ａに設けられている姿勢であるものとして、その姿勢における屋内外方向Ｘ１および左右方向Ｘ２を用いて説明する。左右方向Ｘ２において、障子３を閉じる方向を閉鎖方向といい、開く方向を開放方向という。
【００２０】
図１から図３に示すように、枠体２は、全体が矩形状に形成され、建築物の屋外側に配置される外付け用となっている。枠体２は、左右方向Ｘ２に延在する上枠２１及び下枠２２と、上枠２１の両端部と下枠２２の両端部とをそれぞれ連結し上下方向Ｘ３に延在する縦枠２３、２４と、を有している。
左右の縦枠２３、２４同士の間の左右方向Ｘ２の中間部分には、図６及び図７に示すように方立２５が設けられている。方立２５は、上枠２１と下枠２２とのそれぞれの左右方向Ｘ２の中間部分に連結されている。
【００２１】
開口部２Ａを形成する開口枠２０は、上枠２１（後述する上枠カバー２１Ｃ）、下枠２２（後述する下枠カバー２２Ｃ）、一方の縦枠２３（後述する縦枠カバー２６）、及び方立２５（後述する方立カバー２５Ｂ）によって四辺を囲って構成されている。なお、開口枠２０は、開口部２Ａを形成する枠部材であって、上述した障子３を左右方向Ｘ２にスライド可能に支持する枠体２とは一致するものではない。すなわち、本実施形態のように、開口枠２０の一辺に方立２５が設けられるものが適用される。
【００２２】
一対の縦枠２３、２４は、それぞれアルミ合金等の金属製である。一対の縦枠２３、２４のうち、障子３の戸先框３３に対向する側を第１縦枠２３とし、障子３の召合框３４に対向する側を第２縦枠２４として、以下説明する。
【００２３】
第１縦枠２３は、図６及び図７に示すように、屋外側に配置され障子３の戸先框３３を開閉自在に係止する屋外側枠部２３Ａと、屋外側枠部２３Ａの屋内側に配置され開口部２Ａを形成する縦枠カバー２６が取り付けられる屋内側枠部２３Ｂと、を有している。
第１縦枠２３における第２縦枠２４を向く面の内側には、全閉状態Ｐ１の障子３を開放方向に向けて押し出す押出し機構４（図１参照）が設けられている。
【００２４】
屋外側枠部２３Ａには、開放方向に向けて突出するとともに、上下方向Ｘ３に延びる第１フランジ２３１が設けられている。屋内側枠部２３Ｂには、開放方向に向けて突出するとともに、上下方向Ｘ３に延びる縦枠カバー２６を固定するための第２フランジ２３２、２３３が設けられている。
第１フランジ２３１の屋外側の外面２３１ａには、障子３の戸先框３３のパッキン３３ｃ（後述する）が接触される。
【００２５】
縦枠カバー２６は、樹脂製の材料により形成され、ねじ固定や嵌め合わせ等により第１縦枠２３の屋内側枠部２３Ｃの第２フランジ２３２、２３３に固定されている。縦枠カバー２６の第２縦枠２４側を向く側面２６ａは、上述した開口枠２０の一方の縦側面を構成し、建物の開口部２Ａと面一となっている。
縦枠カバー２６には、屋外側角部において屋外側に突出し、上下方向Ｘ３の全体にわたって延在する第１ヒレ部材２６１が設けられている。第１ヒレ部材２６１は、障子３の戸先框３３の屋内側の面に接触可能に設けられている。
【００２６】
縦枠カバー２６の側面２６ａには、図１に示すように、上下方向Ｘ３の中間部分に、上下方向Ｘ３に延びる縦長の凹溝部が形成されている。この凹溝部には、後述する押出し機構４の一部（ハンドル部材４１など）が配置される。
【００２７】
第２縦枠２４は、屋外側に配置され障子３の召合框３４を開閉自在に係止する屋外側枠部２４Ａと、屋外側枠部２４Ａの屋内側に配置され躯体Ｋが取り付けられる屋内側枠部２４Ｂと、を有している。
【００２８】
上枠２１は、図８に示すように、屋外側に配置され障子３の上框３１を開閉自在に支持する屋外側上枠部２１Ａと、屋外側上枠部２１Ａの屋内側に配置され開口部２Ａを形成する上枠カバー２１Ｃが取り付けられる屋内側上枠部２１Ｂと、を有している。
【００２９】
屋外側上枠部２１Ａには、屋外側の端面から下方に向けて突出するとともに、左右方向Ｘ２に延びるフランジ形状の網戸レールガイド２１１と、屋内外方向Ｘ１の中間部分から下方に向けて突出するとともに、左右方向Ｘ２に延びるフランジ形状の第１突部２１２と、が設けられている。
屋外側上枠部２１Ａにおける第１突部２１２の屋内側には、後述するダンパー装置６を収納可能な上枠レール間カバー２１Ｅが配置されるとともに左右方向Ｘ２に延びる上枠凹部２１３が設けられている。
【００３０】
屋内側上枠部２１Ｂには、複数箇所（３箇所）から下方に向けて突出するとともに、左右方向Ｘ２に延びる上枠カバー２１Ｃの上部を固定するための第６フランジ２１４が設けられている。
【００３１】
上枠カバー２１Ｃ及び上枠レール間カバー２１Ｅは、樹脂製の材料により形成されている。上枠カバー２１Ｃの上部は、ねじ固定や嵌め合わせ等により屋内側上枠部２１Ｂの第６フランジ２１４に固定されている。上枠カバー２１Ｃの下面２１ａは、上述した開口部２Ａの下面を構成し、建物の開口部２Ａと面一となっている。
上枠カバー２１Ｃには、屋外側角部において屋外側に斜め上向きに突出し、左右方向Ｘ２の全体にわたって延在するヒレ部材２１５が設けられている。ヒレ部材２１５は、障子３の上框３１の屋内側面３１ｂに接触可能に設けられている。
【００３２】
上枠レール間カバー２１Ｅは、上枠カバー２１Ｃとは別体で設けられ、下側に向かって開口する縦断面略コ字状をなし、上枠凹部２１３に係合された状態で上板２１ｃがねじ固定や嵌め合わせ等により上枠凹部２１３の頂板２１３ａに固定されている。
【００３３】
下枠２２は、屋外側に配置され障子３の下框３２を開閉自在に支持する屋外側下枠部２２Ａと、屋外側下枠部２２Ａの屋内側に配置され開口部２Ａを形成する下枠カバー２２Ｃが取り付けられる屋内側下枠部２２Ｂと、を有している。
屋外側下枠部２２Ａには、第２突部２２２が設けられ、この第２突部２２２の上端縁には、障子３の下框３２に設けられる戸車３６が屋内外方向Ｘ１への移動が規制された状態で左右方向Ｘ２に走行可能に載置されている。
【００３４】
方立２５は、図６及び図７に示すように、第２縦枠２４に支持される躯体Ｋの第１縦枠２３側の端部を支持する方立形材２５Ａと、方立形材２５Ａの第１縦枠２３側に係合される方立カバー２５Ｂと、を有している。
【００３５】
図４及び図５に示すように、障子３は、左右方向Ｘ２に延在する上框３１および下框３２と、上下方向Ｘ３に延在する戸先框３３と召合框３４と、これらの框３１〜３４の内側に配置されるガラス３５と、を有している。
上下左右の各框３１〜３４には、それぞれガラス３５を支持するための断面略コの字状の溝（図６及び図８に示すガラス保持溝Ｇ）が形成されている。各框３１〜３４を形成する形の先端部が、屋内側から見て開口部２Ａの屋外側に隠れるように構成されている。
また、障子３は、全開した状態（全開状態Ｐ２）において、戸先框３３が屋内側から見て開口枠２０の屋外側に隠れるように構成されている。
【００３６】
ガラス３５は、四辺の周縁部がガラス保持溝Ｇ内で框３１〜３４に係止された押縁３５１で押さえられた状態で嵌め込まれている。
【００３７】
戸先框３３は、図６及び図７に示すように、障子３の全閉状態Ｐ１において、召合框３４側の端部（溝を形成する形の溝先端部３３ａ）が、屋内側から見て、開口部２Ａの端面（縦枠カバー２６の側面２６ａ）と面一、もしくは第１縦枠２３側に位置して配置されている。
戸先框３３は、屋外側に設けられアルミニウムを材料として形成された屋外側形材３３Ａと、屋外側形材３３Ａの屋内側に設けられ樹脂を材料として形成された屋内側形材３３Ｂと、を有している。屋外側形材３３Ａおよび屋内側形材３３Ｂは、上下方向Ｘ３に延在しているとともに、互いに係合し、ガラス３５を係止している。
【００３８】
屋外側形材３３Ａは、板面が屋外側を向く外板部３３１と、外板部３３１と一体に形成され屋内側形材３３Ｂと係合する第１係合部３３２と、外板部３３１の召合框３４側の溝先端部３３ａに設けられる第１ガラス係止部３３３と、を有している。
屋外側形材３３Ａには、屋外側に突出した状態で上下方向Ｘ３に延在するパッキン３３ｃが設けられている。パッキン３３ｃは、ゴム製の弾性部材から形成され、障子３が全閉状態Ｐ１において、第１縦枠２３の第１フランジ２３１の外面２３１ａに対して接触している。
【００３９】
屋内側形材３３Ｂは、板面が屋内側を向く内板部３３４と、内板部３３４と一体に形成され屋外側形材３３Ａと係合する第２係合部３３５と、内板部３３４の召合框３４側の溝先端部３３ａに設けられる第２ガラス係止部３３６と、を有している。
屋外側形材３３Ａと屋内側形材３３Ｂとの召合框３４側には、ガラス３５を支持するための上述したガラス保持溝Ｇが形成されている。
【００４０】
屋外側形材３３Ａと屋内側形材３３Ｂとの第１縦枠２３側には、召合框３４側に凹む凹部３３ｂが形成されている。凹部３３ｂには、屋内側形材３３Ｂにおける第１縦枠２３側の端面から屋外側に突出する手掛け部３３８が形成されている。手掛け部３３８は、少なくとも障子３の戸先框３３が縦枠カバー２６の側面２６ａよりも第２縦枠２４側となるように開いた状態において、凹部３３ｂの空間に使用者の手先が挿入可能に構成されている。また、手掛け部３３８は、全閉状態Ｐ１において、上述したように戸先框３３とともに屋内側から見て開口枠２０の屋外側に隠れているので、凹部３３ｂの空間に使用者の手先が挿入できない構成になっている。
【００４１】
召合框３４は、図６に示すように、障子３が開口部２Ａを閉鎖している全閉状態Ｐ１において、戸先框３３側の端部（溝を形成する形の溝先端部３４ａ）が、屋内側から見て、開口部２Ａの側面（方立カバー２５Ｂの側面２５ｃ）と面一、もしくは第２縦枠２４側（図６の右側）に位置して配置されている。
召合框３４は、アルミニウムを材料として形成された本体形材３４Ａを有している。本体形材３４Ａは、上下方向Ｘ３に延在してガラス３５を係止している。
【００４２】
上框３１は、図８に示すように、障子３の全閉状態Ｐ１において、下框３２側の端部（溝を形成する形の溝先端部３１ａ）が、屋内側から見て、開口部２Ａの側面（上枠カバー２１Ｃの下面２１ａ）と面一、もしくは上側に位置して配置されている。
【００４３】
上框３１は、屋外側に設けられアルミニウムを材料として形成された屋外側形材３１Ａと、屋内側に設けられ樹脂を材料として形成された屋内側形材３１Ｂと、を有している。屋外側形材３１Ａおよび屋内側形材３１Ｂは、上下方向Ｘ３に延在しているとともに、互いに係合し、押縁３５１を介してガラス３５を係止している。
【００４４】
屋外側形材３１Ａは、板面が屋外側を向く外板部３１１と、外板部３１１と一体に形成され屋内側形材３１Ｂと係合する第１係合部３１２と、外板部３１１の下框３２側の端部から下側に向かって突出する第１ガラス係止部３１３と、を有している。
屋外側形材３１Ａの上部には、上枠２１の第１突部２１２に左右方向Ｘ２にスライド可能なスライド係止部３１７が設けられている。
外板部３１１の上部には、第１突部２１２の屋外側の外面に気密に接する気密パッキン３１８が設けられている。
【００４５】
屋内側形材３１Ｂは、板面が屋内側を向く内板部３１４と、内板部３１４と一体に形成され屋外側形材３１Ａと係合する第２係合部３１５と、内板部３１４の下端部から下側に向かって突出する第２ガラス係止部３１６と、を有している。
屋内側形材３１Ｂは、ダンパー装置６のダンパー６Ａの下方に位置し、上端３１ｃにはダンパー６Ａに対して左右方向Ｘ２に摺動自在なラッチ６Ｂが設けられている。
屋外側形材３１Ａと屋内側形材３１Ｂとの下框３２側には、ガラス３５を支持するための上述したガラス保持溝Ｇが形成されている。
【００４６】
下框３２は、図８に示すように、障子３が開口部２Ａを閉鎖している全閉状態Ｐ１において、上框３１側の端部（溝を形成する形の溝先端部３２ａ）が、屋内側から見て、開口部２Ａの側面（下枠カバー２２Ｃの上面２２ａ）と面一、もしくは下側に位置して配置されている。
【００４７】
下框３２は、屋外側に設けられアルミニウムを材料として形成された屋外側形材３２Ａと、屋内側に設けられ樹脂を材料として形成された屋内側形材３２Ｂと、を有している。屋外側形材３２Ａおよび屋内側形材３２Ｂは、上下方向Ｘ３に延在しているとともに、互いに係合し、押縁３５１を介してガラス３５を係止している。
【００４８】
次に、第１縦枠２３に設けられる押出し機構４について、図面に基づいて説明する。
押出し機構４は、図９及び図１０に示すように、左右方向Ｘ２で第１縦枠２３に対して離間する方向（開放方向）に障子３を押し出す蹴出し部材４０と、蹴出し部材４０を連動させるとともに回動可能なハンドル部材４１（操作部）と、ハンドル部材４１を回転可能に駆動する駆動機構４２と、を有している。
押出し機構４は、第１縦枠２３の上下方向Ｘ３で障子３を開閉する使用者が手でハンドル部材４１の把持部４１Ａを把持して操作し易い適宜な位置に配置されている。
【００４９】
第１縦枠２３において、屋内側枠部２３Ｂにハンドル部材４１と駆動機構４２とが設けられ、屋外側枠部２３Ａに蹴出し部材４０が設けられている。押出し機構４は、ハンドル部材４１と駆動機構４２とが縦枠カバー２６（図６参照）内に収容され、ハンドル部材４１が手前に回動されたときのみ縦枠カバー２６から突出するように配置されている。ここで、図９及び図１０は、見やすくするために縦枠カバー２６が省略されている。
【００５０】
ハンドル部材４１は、図１１に示すような縦枠カバー２６に設けられた凹溝部４６内に収納される収納位置Ｑ１と、図１０及び図１１に示すような障子３を蹴出し部材４０によって蹴り出すときの押出位置Ｑ２と、の間で、ハンドル部材４１の基端部４１Ｂに位置する回転中心４１ａを中心にして回動可能に設けられている。
【００５１】
ハンドル部材４１の上側の隙間４６Ａには、凹溝部４６の開口側から凹底側に向けて押圧可能な押し釦４７が設けられている。使用者が押し釦４７を押すことで、ハンドル部材４１の把持部４１Ａが収納位置Ｑ１から縦枠カバー２６より突出する操作初期位置Ｑ０（図１１参照）に押し出される。
【００５２】
蹴出し部材４０は、図１１に示すように、連結部（図示省略）を介してハンドル部材４１の屋外側に一体的に、かつハンドル部材４１の回転中心４１ａと同軸に設けられている。すなわち、蹴出し部材４０は、ハンドル部材４１の回動とともに同じ回転方向に回動する。そのため、蹴出し部材４０においても、ハンドル部材４１と同様に、図１０に示す収納位置Ｑ１、図１１に示す操作初期位置Ｑ０、及び押出位置Ｑ２に位置することが可能となっている。
【００５３】
蹴出し部材４０は、ハンドル部材４１が操作初期位置Ｑ０に位置しているときに、ハンドル部材４１とともに回動し、ローラー４０１が全閉状態Ｐ１の障子３の戸先框３３に接触する位置となる。さらに、蹴出し部材４０は、操作初期位置Ｑ０からハンドル部材４１を回動操作することで、戸先框３３の戸先端３ａを押圧して開放方向に押し出すようにハンドル部材４１とともに回動するように構成されている。
【００５４】
次に、上枠に設けられるダンパー装置６（引寄せ機構）について、図面に基づいて詳細に説明する。
図１２乃至図１４に示すように、ダンパー装置６は、障子３の戸先框３３を第１縦枠２３側に引き込ませる引寄せ機構である。ダンパー装置６は、上枠２１に設けられるダンパー６Ａと、障子３の上框３１に設けられダンパー６Ａにスライド可能に係止するラッチ６Ｂと、が設けられている。具体的なダンパー装置６の位置としては、図８に示すように、上枠２１の第１突部２１２の下端２１２ａよりも上方で、かつ第１突部２１２よりも屋内側に位置している。
また、ダンパー装置６は、図８に示すように、上枠２１の第１突部２１２の屋外側面と障子３の上框３１との間に配置される気密パッキン３１８（気密材）よりも屋外側に設けられている。
【００５５】
ここで、本実施形態における気密ラインは、上枠２１と障子３の間の気密材と、下枠２２と障子３の間の気密材と、縦枠２３、２４と障子３の間の気密材と、方立２５と障子３の間の気密材と、から構成される障子３と枠体２との間の四周に配置された気密材の繋がりをいう。
【００５６】
ダンパー６Ａは、上枠２１の第１縦枠２３側の位置で、上枠凹部２１３に係合されている上枠レール間カバー２１Ｅの内側に配置されている。
ダンパー６Ａは、図１３及び図１４に示すように、下方に左右方向Ｘ２に延びるスリット６０ａが形成されカバー体６０と、カバー体６０の内側に収容され第１縦枠２３側に向けて所定の閉速度で伸長するシリンダ６１と、シリンダ６１の先端部６１ａに設けられた係止片６２と、カバー体６０に形成され係止片６２を案内する案内溝６３と、を備えている。
【００５７】
カバー体６０は、上枠２１の延在方向（左右方向Ｘ２）に沿って延びる長尺の箱形状をなしており、左右方向Ｘ２に沿って延びる一対の側壁６０ｂ、６０ｂのそれぞれに上述した案内溝６３が形成されている。カバー体６０の下端６０ｃは、障子３の上框３１の上端３１ｃから上方に離間している。
【００５８】
シリンダ６１は、伸長する方向に付勢されており、係止片６２に対して障子３の開方向（第２縦枠２４側）に所定の力を付与することで、シリンダ６１の先端部６１ａが開方向に移動するように縮減し、その所定の力が付与されなくなると閉方向に伸長する。すなわちシリンダ６１の先端部６１ａ（係止片６２）の位置は、シリンダ６１の伸縮によって縮減した引込み開始位置Ｕ１から伸長した引込み完了位置Ｕ２との間で移動するようになっている。シリンダ６１の伸長速度は、障子３を全閉状態Ｐ１に閉じる際の閉鎖速度に設定されている。
【００５９】
引込み開始位置Ｕ１は、障子３が全閉状態Ｐ１のときに第１縦枠２３に戸先框３３が隠れる領域において、屋内外方向Ｘ１から見て少なくとも戸先框３３の一部が重なったときに、ラッチ６Ｂが係止片６２に係止する位置に決められている。
引込み完了位置Ｕ２は、シリンダ６１の伸長により障子３を閉方向に移動させ、係止片６２からラッチ６Ｂを解放した後の障子３が全閉状態Ｐ１の位置まで慣性力により移動することが可能な位置に決められている。
【００６０】
係止片６２は、シリンダ６１の先端部６１ａに対して屋内外方向Ｘ１を中心として回転可能に設けられ、カバー体６０の案内溝６３の溝方向に沿って摺動可能な一対の摺動突起６２Ａ、６２Ｂを有している。係止片６２は、摺動突起６２Ａ、６２Ｂのうち開方向側の第２摺動突起６２Ｂが後述する案内溝６３の停止凹部６３Ｂに嵌ったときに、引込み開始位置Ｕ１となり、図１５（ｂ）に示すように開方向側の端部を上にして傾いた姿勢となる。そして、停止凹部６３Ｂに第２摺動突起６２Ｂが嵌合した状態では、係止片６２の移動が規制されていて、シリンダ６１の付勢力で動かないようになっている。停止凹部６３Ｂと第２摺動突起６２Ｂの嵌合は、係止片６２の係止凹部６２ａに開方向に移動する障子３のラッチ６Ｂが係合したときに解除される。
【００６１】
係止片６２の下端には、ラッチ６Ｂが着脱可能に係止する係止凹部６２ａが設けられている。係止凹部６２ａには、面方向を上下方向Ｘ３に向け、かつ左右方向Ｘ２に対向する係止面を有している。障子３を開ける際には、係止凹部６２ａの開方向側の第１面６２ｂがラッチ６Ｂの第１側面６４ａによって押されることで係止片６２を開方向側に押圧してシリンダ６１が縮減する。障子３を閉じる際には、シリンダ６１の伸長によって閉方向に移動する係止片６２とともに係止凹部６２ａの第１面６２ｂによってラッチ６Ｂの第１側面６４ａを押圧することで障子３が閉方向に移動する。
係止片６２は、引込み開始位置Ｕ１で姿勢が傾くことにより、係止凹部６２ａから障子３とともに開方向に移動するラッチ６Ｂが外れ、あるいは閉方向に移動してきたラッチ６Ｂを係止凹部６２ａで係止させることができる。
【００６２】
カバー体６０に形成されるスリット６０ａは、係止片６２の幅寸法よりも大きいスリット幅に設定され、係止片６２が左右方向Ｘ２に移動可能となっている。そして、係止片６２の係止凹部６２ａは、少なくともスリット６０ａの内側に位置するように設けられている。
【００６３】
カバー体６０の案内溝６３は、シリンダ６１の先端部６１ａの移動領域に配置され、左右方向Ｘ２に延びる直線部６３Ａと、直線部６３Ａの開方向側の端部から上方に凹んだ停止凹部６３Ｂと、を有している。
【００６４】
ラッチ６Ｂは、ばね部材（図示省略）によって上方に向けて付勢された状態で障子３の上框３１に設けられている。ラッチ６Ｂにおける上框３１から突出する部分の形状は、屋内外方向Ｘ１から見た側面視で略矩形状を呈している。
【００６５】
次に、障子３の開閉動作について、図面を用いて具体的に説明する。
障子３を開く際には、先ず、図９に示す収納位置Ｑ１から図１１に示す操作初期位置Ｑ０に移動させた押出し機構４のハンドル部材４１を手前に引いて回動させて押出位置Ｑ２にする。これにより、ハンドル部材４１と一体に設けられた蹴出し部材４０も押出位置Ｑ２に回動して、図１０に示すように全閉状態Ｐ１の障子３の戸先框３３を押圧して開方向に押し出す。押し出された障子３は、図１５（ａ）に示すように、上框３１に設けられるラッチ６Ｂが上枠２１に設けられ引込み完了位置Ｕ２にあるダンパー６Ａの係止片６２の係止凹部６２ａに係止する。
【００６６】
図１５（ｂ）に示すように、さらに障子３を開方向に移動させると、係止凹部６２ａの開方向側の第１面６２ｂがラッチ６Ｂの第１側面６４ａによって押されることで係止片６２を開方向側に移動させるとともにシリンダ６１を押し戻すようにして縮減させる。係止片６２が引込み開始位置Ｕ１まで移動したときに、係止片６２の開方向側の第２摺動突起６２Ｂが案内溝６３の停止凹部６３Ｂに位置し、係止片６２が開方向に向けて傾斜した姿勢となることにより、係止凹部６２ａから障子３とともに開方向に移動するラッチ６Ｂが外れる。
そして、ダンパー６Ａからラッチ６Ｂ（図１５（ｂ）の二点鎖線）が外れた状態のまま障子３は開方向へ移動させることができる。ダンパー６Ａは、係止片６２の第２摺動突起６２Ｂが停止凹部６３Ｂに嵌った状態ではシリンダ６１の伸長が規制され、シリンダ６１が縮減された状態で保持される。
【００６７】
次に、障子３を閉じる際には、図１５（ｃ）に示すように、閉方向に移動する障子３が障子３の全閉時に縦枠カバー２６（開口枠２０）に戸先框３３が隠れる領域に、屋内外方向から見て少なくとも戸先框３３の一部が重なったときに、ダンパー装置６による引き込みが開始される。すなわち、障子３のラッチ６Ｂが引込み開始位置Ｕ１でダンパー６Ａの傾いた係止片６２の係止凹部６２ａに係止すると、係止片６２がラッチ６Ｂによって閉方向に押されて、第２摺動突起６２Ｂが停止凹部６３Ｂから外れる。
【００６８】
そうすると、図１５（ｄ）に示すように、シリンダ６１が伸長する方向への規制が解除され、シリンダ６１が伸長し、係止片６２の第１摺動突起６２Ａ、及び第２摺動突起６２Ｂが案内溝６３の直線部６３Ａに沿って摺動する。シリンダ６１の伸長によって閉方向に移動する係止片６２とともに係止凹部６２ａの第１面６２ｂによってラッチ６Ｂの第１側面６４ａが押されることで障子３が閉方向に向けて自動的に移動する。引込み完了位置Ｕ２まで引き込まれた障子３は、ラッチ６Ｂがダンパー６Ａから外れるとともに、慣性力によって全閉する。
【００６９】
次に、本実施形態による片引き戸１の作用について説明する。
本実施形態では、図１３に示すように、枠体２の上枠２１内にダンパー装置６のダンパー６Ａを配置させて収納することができる。そのため、ダンパー６Ａを修理あるいは交換する際には、ダンパー６Ａの下方から障子３を移動させて、ダンパー６Ａの下方にスペースを設けることができるので、ダンパー６Ａを上枠２１から容易に取り外すことができる。
このようにダンパー６Ａを上枠２１から取り外す際には、障子３に引寄せ機構が設けられていた従来の場合のように、一旦、障子３を枠体２から取り外すという手間と時間のかかる作業が不要になり、メンテナンスにかかる作業効率の向上を図ることができる。
【００７０】
しかも、本実施形態によるダンパー装置６は、図８に示すように、上枠２１の第１突部２１２の下端２１２ａよりも上方の位置で、かつ屋内側に設けられているので、雨水が付着しにくく、故障を抑えることができる。
【００７１】
また、本実施形態では、移動する障子３においてダンパー６Ａに対して走行させながら係合可能なラッチ６Ｂが設けられているので、ダンパー６Ａによってラッチ６Ｂを介して障子３の走行速度を低減することができ、ダンパー６Ａで設定された一定の走行速度で障子３を移動させることができる。これにより、障子３を閉鎖する際における障子３の衝撃を小さく抑えることができる。
また、本実施形態では、ラッチ６Ｂは屋内側から見えにくい障子３の上框３１に設けられているので、意匠性を低下させることなく配置することができる。
【００７２】
また、本実施形態では、障子３の気密ラインを構成する気密パッキン３１８の屋内側に水の付着に弱いダンパー３Ａが設けられているので、ダンパー６Ａを屋外の雨水や湿気から保護することができ、故障の発生を抑制することができる。
【００７３】
このように本実施形態の片引き戸１によれば、ダンパー装置６が故障することを抑制することができる。
【００７４】
以上、本発明による建具の実施形態について説明したが、本発明は上記の実施形態に限定されるものではなく、その趣旨を逸脱しない範囲で適宜変更可能である。
【００７５】
例えば、本実施形態では、ダンパー装置６による障子３の引込み開始位置Ｕ１として、障子３を閉じる方向で、第１縦枠２３に戸先框３３が隠れる領域（隠し框部）に重なる手前の位置としてもよい。この場合には、隠し框部に戸先框３３を進入させる手前の位置まで障子３を閉じる方向に移動させることで、全閉状態まで障子３を引き寄せることができる。
【００７６】
また、本実施形態では、引寄せ機構として、ダンパー６Ａとラッチ６Ｂの組み合わせによる構成のダンパー装置６を採用しているが、このような構成に限定されることはなく、他の構成の引寄せ機構を採用することも可能である。
例えば、本実施形態では、ダンパー６Ａに係合する係止部として、障子３の上框３１に対して上下に突没可能なラッチ６Ｂを採用しているが、このようなラッチ６Ｂであることに限定されることはない。例えば、突没（上下動）しない突起のみが形成された係止部などの他の構成の係止部を採用してもよい。
【００７７】
また、ダンパー装置６の取り付け位置として、本実施形態では、障子３と上枠２１に設けられた第１突部２１２の屋外側面との間に配置される気密材よりも屋内側に設けられた構成としているが、少なくとも上枠２１の気密材よりも室内側に引寄せ機構（ダンパー装置６）が配置されていればよく、下枠、縦枠、方立のそれぞれの気密材よりも室内側に引寄せ機構が配置されることに限定されることはない。
【００７８】
また、押出し機構４の構成、例えばハンドル部材４１や蹴出し部材４０の構成は、本実施形態に限定されることはなく、適宜変更可能である。例えば回転式等、他の形状の構成の操作部であってもかまわないし、または手動操作のものであることに限らず、電動式、或いは手動／電動の切り替え式の操作部であってもよい。
【００７９】
また、本実施形態では、建具として片引き戸１を適用した例を示しているが、片引き戸１に限定されることはなく、例えば引違窓などに適用することも可能である。なお、引違窓の場合には、一方の縦枠のみにダンパー装置６（引寄せ機構）が設けられることに限らず、左右両側の縦枠のそれぞれに引寄せ機構を設ける構成であってもかまわない。
【００８０】
さらに、本実施形態では、全閉状態Ｐ１の障子３における戸先框３３が開口枠２０の屋外側に位置して、屋内側から見て隠れた状態となる隠し框構造に適用されているが、このような隠し框構造でない建具に適用することも勿論可能である。
【００８１】
その他、本発明の趣旨を逸脱しない範囲で、上記した実施形態における構成要素を周知の構成要素に置き換えることは適宜可能である。
【符号の説明】
【００８２】
１  片引き戸（建具）
２  枠体
２Ａ  開口部
３  障子
３ａ  戸先端
４  押出し機構
６  ダンパー装置（引寄せ機構）
６Ａ  ダンパー
６Ｂ  ラッチ（係止部）
２０  開口枠
２１  上枠
２２  下枠
２３  第１縦枠
２４  第２縦枠
３１  上框
３２  下框
３３  戸先框
３４  召合框
４０  蹴出し部材
４１  ハンドル部材
６２  係止片
６２ａ  係止凹部
６３  案内溝
６３Ａ  直線部
６３Ｂ  停止凹部
２１２  第１突部
Ｐ１  全閉状態
Ｐ２  全開状態
Ｕ１  引込み開始位置
Ｕ２  引込み完了位置
Ｘ１  屋内外方向
Ｘ２  左右方向
Ｘ３  上下方向
【図１】
2019178514.tif 000003
【図２】
2019178514.tif 000004
【図３】
2019178514.tif 000005
【図４】
2019178514.tif 000006
【図５】
2019178514.tif 000007
【図６】
2019178514.tif 000008
【図７】
2019178514.tif 000009
【図８】
2019178514.tif 000010
【図９】
2019178514.tif 000011
【図１０】
2019178514.tif 000012
【図１１】
2019178514.tif 000013
【図１２】
2019178514.tif 000014
【図１３】
2019178514.tif 000015
【図１４】
2019178514.tif 000016
【図１５】
2019178514.tif 000017